(57)【要約】【課題】ハードディスクレコーダなどに録画された番組を、ＶＴＲやＤＶＤレコーダといった外部の録画装置に録画編集する場合、双方の機器を操作する必要があり、わずらわしいものであった。【解決手段】映像を録画または再生する映像記録再生機能を有するテレビジョン受信機において、映像録画再生部の再生画像を受信機の外部へ出力する端子を設け、映像録画再生装置の再生制御と、前記出力端子に接続される外部録画装置の録画制御を連動的に制御する機能を設ける。外部録画装置の制御としては、赤外線リモコンなどを用い接続性を容易にする。【選択図】  図１
2004153587.tif 000002
【特許請求の範囲】
【請求項１】
放送を受信し、選局する少なくとも１個のチューナ部と、
前記チューナ部において選局された信号を映像として復調する映像表示処理部と、
前記映像表示処理部において復調した映像を表示する映像表示部と、
前記映像表示処理部において復調された映像を録画または再生する映像記録再生部と、
前記映像記録再生部を制御するマイコンと、
前記映像録画再生部の再生画像を受信機の外部へ出力する端子と、を備えてなるテレビ受信機において、
前記マイコンは、前記映像録画再生部の再生制御と、前記出力端子に接続される外部録画装置の録画制御を連動的に制御することを特徴とするテレビジョン受信機。
【請求項２】
請求項１記載のテレビジョン受信機において、前記マイコンからの前記外部録画装置の制御は、赤外線発光制御部を介し、赤外線リモコンコードとして、前記外部録画装置を制御することを特徴としたテレビジョン受信機。
【請求項３】
請求項１または２に記載のテレビジョン受信機において、前記マイコンは、前記外部録画装置の種類に応じて、制御可能なリモコンコードを発生する切替え機能を備えることを特徴としたテレビジョン受信機。
【請求項４】
請求項１記載のテレビジョン受信機において、前記映像録画再生部に複数の映像が保持されている場合、その中の所望の複数個を連続して再生するように設定する再生予約機能を有し、前記外部録画装置では、それらを連続して録画するように制御することを特徴としたテレビジョン受信機。
【請求項５】
請求項１に記載のテレビジョン受信機の映像録画再生部は、ランダムアクセス性を有する記録媒体を備えることを特徴とするテレビジョン受信機。
【請求項６】
請求項１記載のテレビジョン受信機において、前記外部録画装置に動作制御用端子を備える場合には、前記マイコンからの前記外部録画装置の制御は、電気信号として前記外部録画装置へ伝達し制御することを特徴としたテレビジョン受信機。
【発明の詳細な説明】
【０００１】
【発明の属する技術分野】
本発明は、録画再生機能を有するテレビジョン受信機に関するものであり、録画済番組の編集に好適な制御方法に関する。
【０００２】
【従来の技術】
近年、ハードディスクレコーダに代表されるようにランダムアクセス性を有する記憶媒体を用いた画像記録再生装置が登場してきている。これに使用される磁気ディスクは大容量化に伴い、例えば８０ＧＢ容量で合計８０時間前後の動画が記録でき、３０分番組であれば、１６０回の記録、保存が可能となる。さらにランダムアクセス性を利用し、録画しながら、録画済の別番組が見られる便利な機能がある。
【０００３】
しかし、このように多くの番組を保存でき、便利になってきた一方で、磁気ディスクが一杯になってしまうと、不要なファイルを削除する作業が必要であり、上記のように大量の番組の中から不要なファイルを選ぶことは大変な作業である。機能として、録画日時の古いファイルから自動削除するような機能もあるが、必要なファイルまで削除されてしまうというトラブルも発生する。したがって、保存しておきたファイルには、保護マークを付加したり、別の録画装置に移動するなどの処理が必要である。
【０００４】
そこで、最近では、例えばハードディスクとＤＶＤレコーダ又はＶＴＲが同時に搭載された製品なども登場しており、必要なファイルをＤＶＤやＶＴＲテープなどのリムーバブルなメディアに編集可能になっている。これらの編集機能の一例としては例えば下記のような文献がある。
【０００５】
【特許文献１】
特開２０００−３５８０号公報（第２−４頁、図１）
【０００６】
【発明が解決しようとする課題】
上記従来技術に記載されているような、ハードディスクとＤＶＤ、ハードディスクとＶＴＲといったシステムでは編集は比較的容易であるが、編集時以外の場合、使用するのはどちらか一方の録画再生機能である。そして、２種類の録画メディアを有することでコストが高くなるといった課題がある。一方、ハードディスクなど単独の記録メディアの録画装置では、外部に接続する録画装置へ録画編集などを行う必要があり、それぞれの機器に対して再生、録画の操作をする必要がある。特に、複数の番組を編集する場合、操作回数が増え、非常に煩わしいものであった。
【０００７】
【課題を解決するための手段】
映像を録画または再生する映像記録再生機能を有するテレビジョン受信機において、映像録画再生部の再生画像を受信機の外部へ出力する端子を設け、映像録画再生装置の再生制御と、前記出力端子に接続される外部録画装置の録画制御を連動的に制御する機能を設ける。外部録画装置としては、既存のＶＴＲやＤＶＤレコーダなど何でも良い。
【０００８】
【発明の実施の形態】
図１に本発明のテレビジョン受信機の実施の形態の一例を示す。１で示す点線の枠内はテレビの内部構成例を表す。２，３はアンテナ入力端子、４，５はチューナ部、６は外部映像入力端子、７、１０は映像切り替えスイッチ、８は表示制御部、９は映像表示部、１１は、ハードディスクレコーダ部、１２はハードディスクへの録画、再生処理を行う信号処理部、１３はハードディスク、１４は録画再生制御を行う制御マイコン、１５はテレビ全体を制御するマイコン、１６はマイコン１５に対する命令を受信するリモコン受光部、１７は外部機器の制御命令を送信するための赤外線制御部、１８は赤外線発制御出力端子、２０はハードディスクレコーダ１１の再生映像出力端子である。なおチューナ部は、チューナ部において選局された信号を映像として復調する映像表示処理部を含む。
【０００９】
本実施形態の一例は、２つのチューナとハードディスクレコーダを内蔵した場合の構成例である。なお、説明の都合上、音声の系統は図示していないが、基本的には映像系統と同様な処理系統となることは言うまでもない。
以上の構成で、放送を受信し表示する場合は、チューナ４，５で受信している信号を、スイッチ７で選択し、表示制御８を介して表示する。ハードディスクレコーダ１１で録画する場合は、スイッチ１０で所望の放送を選択し録画する。
【００１０】
次に、外部機器の接続を説明する。２１はＤＶＤレコーダであり、２２はそのリモコン受光部である。テレビ１内のハードディスクレコーダの再生映像は、出力端子２０からＤＶＤレコーダへ入力する。ＤＶＤレコーダの再生映像は、テレビ１の外部映像入力端子６へ接続する。さらに、赤外線発光制御出力端子１８には、赤外線発光部１９を接続し、ＤＶＤレコーダ２１の赤外線受光部２２の受信可能な位置に設置する。
【００１１】
次に図２を用いて本実施形態において、テレビ１に内蔵されたハードディスクレコーダ１１に録画済の番組をＤＶＤレコーダ２１に保存する場合の動作例を説明する。図２は、図１に示すテレビ１と外部に接続したＤＶＤレコーダ２１の操作手順と制御シーケンスを示すフローチャートで、Ｆ１からＦ４は処理順を説明する便宜上で付加したものである。以下、動作順に説明する。なお、手順１から３は人手によるマニュアル操作、Ｆ１からＦ４は制御マイコン１５による自動制御である。
手順１
ＤＶＤレコーダ２１に記録するためのＤＶＤメディアを挿入しておき、録画映像選択をテレビ１からの外部入力映像に設定しておく。
手順２
テレビ内臓ハードディスクレコーダ１１に録画済み番組の中から所望の番組を選択する。このときの選択方法は特に限定はなく、一般的なハードディスクレコーダに備わっている、録画済み番組のタイトルリスト表示や、サムネイル表示などを用い、選択する。
手順３
保存開始命令を出す。具体的には、例えば、タイトルリスト表示画面の周辺部に保存開始ボタンを表示しておき、それを選択するような方法で実行する。
以降、制御マイコン１５による自動制御が開始される。
シーケンスＦ１
制御マイコン１５から赤外線制御部１７、赤外線発光部１９を介し、ＤＶＤレコーダ２１への録画開始命令（リモコンコード）を出力し、録画を開始。
シーケンスＦ２
制御マイコン１５からハードディスクレコーダ１１への再生開始命令を出力し、手順２にて選択した番組の再生を開始。
シーケンスＦ３
制御マイコン１５ではハードディスクレコーダ１１の再生状態を監視し、再生終了まで現在の動作状態を継続する。再生終了が確認されたら、シーケンス４へ移行する。
シーケンスＦ４
制御マイコン１５から赤外線制御部１７、赤外線発光部１９を介し、ＤＶＤレコーダ２１への録画終了命令（リモコンコード）を出力し、録画を終了。
以上のように動作制御を行う。この制御により、ハードディスクレコーダ１１、ＤＶＤレコーダ２１の制御を自動で行うことができ、マニュアル操作を減らすことができる。
【００１２】
次に、図３に複数番組を保存する場合の制御例を示す。手順１は図２と同様であるため、手順２から説明する。
手順２
テレビ内臓ハードディスクレコーダ１１に録画済み番組の中から所望の番組をＮ個選択する。
手順３
保存開始命令を出す。具体的には、例えば、タイトルリスト表示画面の周辺部に保存開始ボタンを表示しておき、それを選択するような方法で実行する。
以降、制御マイコン１５による自動制御が開始される。
シーケンスＦ１
制御マイコン１５から赤外線制御部１７、赤外線発光部１９を介し、ＤＶＤレコーダ２１への録画開始命令（リモコンコード）を出力し、録画を開始。
シーケンスＦ２
制御マイコン１５からハードディスクレコーダ１１への再生開始命令を出力し、手順２にて選択した１個目の番組の再生を開始。
シーケンスＦ３
制御マイコン１５ではハードディスクレコーダ１１の再生状態を監視し、再生終了まで現在の動作状態を継続する。再生終了が確認されたら、シーケンス４へ移行する。
シーケンスＦ４
制御マイコン１５でＮ個の番組再生が終了したか判断する。全て終了していなければ、シーケンスＦ２へ移行し、次の番組再生を開始する。全て終了していれば、シーケンスＦ５へ移行する。
シーケンスＦ５
制御マイコン１５から赤外線制御部１７、赤外線発光部１９を介し、ＤＶＤレコーダ２１への録画終了命令（リモコンコード）を出力し、録画を終了。
以上のように動作制御を行う。この制御により、ハードディスクレコーダ１１、ＤＶＤレコーダ２１の再生、録画制御を自動で行うことができ、マニュアル操作を大幅に減らすことができる。
【００１３】
なお、本実施形態の一例では、外部にＤＶＤレコーダを接続しているが、特にこれに限定されるものではなく、ビデオテープレコーダであってもハードディスクレコーダであってもよい。また、外部に接続される機器の種類やメーカーにより、制御に用いるリモコンコードは異なるが、制御マイコン１５にはリモコンコードの切り替え機能を有するものとする。
【００１４】
次に図４に他の実施形態の一例を示す。本実施形態は２台の外部録画機器が接続された場合の構成例を示している。４１はビデオテープレコーダ、４２はビデオテープレコーダのリモコン受光部、４３は、テレビ１１の第２の外部入力端子、４４は赤外線発光部である。赤外線発光部４４は、赤外線受光部１９と同一の赤外線発制御出力端子１８に接続する。図１と同一符号のものは同一機能を有する。
【００１５】
図５に本実施形態の動作例を示し説明する。図２で示した動作例と異なるのは、保存開始命令の前に、保存先選択を行うところである。ここで設定する保存先の機器に合わせて、Ｆ１からＦ４で制御に用いるリモコンコードを切り替える。これにより、任意機器への保存が可能となる。なお、本実施形態の一例では、２台の外部機器を接続しているが、何台であっても同様に制御可能であるのはいうまでもない。なお、図５に示す手順２と手順３はどちらが先でも構わない。
【００１６】
図６に本発明のその他の実施形態の一例を示す。図１の実施形態では赤外線リモコンを利用して外部機器制御を行っているが、本実施形態では、制御コマンドを電気信号として伝達するように構成している。３１はコマンド制御部、３２はコマンド出力端子、３３はＤＶＤレコーダのコマンド入力端子である。動作としては、図２，３で説明したものと同様であり、ＤＶＤレコーダ２１の制御を赤外線リモコンではなく、電気信号として行う。本実施形態においても図１の実施形態と同様な効果が得られる。
【００１７】
ここまで示した図１，４、６の実施形態中のスイッチ７とスイッチ１０は、別々のスイッチとして示したが、実際の回路を構成する場合は、例えば、図１と図６では、入力４系統、出力３系統、図４では、入力５系統、出力３系統を備える１体形のスイッチでもよく、このような半導体集積回路も存在する。
【００１８】
【発明の効果】
本発明によれば、テレビに内蔵するハードディスクレコーダなどに録画した番組を、簡単な操作で外部のＶＴＲやＤＶＤレコーダなどの録画装置へ録画編集することができ、使い勝手が向上できる。
【図面の簡単な説明】
【図１】本発明におけるテレビジョン受信機の実施形態の一例を示すブロック図である。
【図２】本発明におけるテレビジョン受信機の動作例である。
【図３】本発明におけるテレビジョン受信機の動作例である。。
【図４】本発明におけるテレビジョン受信機の実施形態の一例を示すブロック図である。
【図５】本発明におけるテレビジョン受信機の動作例である。。
【図６】本発明におけるテレビジョン受信機の実施形態の一例を示すブロック図である。
【符号の説明】
１…テレビジョン受信機、２、３…アンテナ入力端子、４、５…チューナ、６…外部映像入力端子、７、１０…スイッチ、８…表示制御部、９…表示部、１１…ハードディスクレコーダ、１２…録画再生処理部、１３…ハードディスク、１４、１５…マイコン、１６…赤外線受光部、２０、映像出力端子、２１…ＤＶＤレコーダ、２２…赤外線受光部
【図１】
2004153587.tif 000003
【図２】
2004153587.tif 000004
【図３】
2004153587.tif 000005
【図４】
2004153587.tif 000006
【図５】
2004153587.tif 000007
【図６】
2004153587.tif 000008